(57)【特許請求の範囲】
【請求項１】
両側の縦框の対向する内側端面のそれぞれに上下方向に亘って形成された凹溝部に、ガラス板の両側端部が嵌合固定されて該ガラス板が保持されてなる二方框状の戸体であって、
前記ガラス板の上端部に全長に亘って形成された溝状部に沿わせるようにして納めたワイヤーの長手方向の両端部を、前記両側の縦框の上端部にそれぞれ固定して、これら両側の縦框を連結したことを特徴とする戸体。
【請求項２】
請求項１において、
前記ガラス板が合わせガラスであり、
前記溝状部は、該ガラス板の上端部のガラス合わせ部位に形成されていることを特徴とする戸体。
【請求項３】
請求項１または２において、
前記両側の縦框の上端面には、前記ワイヤーの両端部をこれら両側の縦框の上端部にそれぞれ固定する各固定止具の頭部とともに前記ワイヤーの各端部を収納する凹部がそれぞれに形成されていることを特徴とする戸体。
【請求項４】
請求項３において、
前記両側の縦框の各凹部は、前記ワイヤーの各端部をそれぞれに係止する構造とされており、
前記両側の縦框の上端面には、それぞれの前記凹部とそれぞれの前記凹溝部とを連通させ、かつ、前記ワイヤーの各端部近傍部分を収納する連通溝がそれぞれに形成されていることを特徴とする戸体。
【請求項５】
請求項１乃至４のいずれか１項において、
前記戸体は、一側端部が連結部材を介して戸枠に回動自在に連結される開き戸とされ、他側端部側の縦框の幅寸法が一側端部側の縦框の幅寸法よりも小さく形成されていることを特徴とする戸体。
【発明の詳細な説明】
【技術分野】
【０００１】
本発明は、両側の縦框間に鏡板を設けた二方框状の戸体に関する。
【背景技術】
【０００２】
従来より、上下の横框及び左右の縦框からなる四方の框内に鏡板を配設したいわゆる四方框組の戸体が知られているが、デザイン性等の観点から、上下の横框を設けない構成としたいわゆる二方框組の戸体も知られている。
例えば、下記特許文献１には、表面化粧材と芯材とからなる左右の化粧パネルの各芯材に、装飾板の両側端部をそれぞれに嵌入状態に接合した戸パネルが開示されている。この戸パネルは、装飾板の両側端部と芯材とが重なる部分に、芯材の一方面から他方面に貫通する貫通孔を形成し、この貫通孔にダボからなる固定部材を打ち込んで芯材と装飾板とを固定する構造とされている。
【先行技術文献】
【特許文献】
【０００３】
【特許文献１】特開２００４−６０３７８号公報
【発明の概要】
【発明が解決しようとする課題】
【０００４】
ところで、このような鏡板（装飾板）としては、一般的には、軽量化を図る観点や加工性の観点等からポリカーボネート樹脂等の樹脂板が採用されることが多い。しかしながら、質感等の観点から、上記鏡板としてこのような樹脂板に代えてガラス板を採用したい場合がある。このような場合には、上記特許文献１のように貫通孔を形成し、該貫通孔に固定部材を打ち込んで鏡板を固定することは困難であることが考えられ、組付強度等の観点から更なる改善が望まれる。
【０００５】
本発明は、上記実情に鑑みてなされたものであり、すっきりとした外観を呈しながらも、組付強度を向上し得る戸体を提供することを目的とする。
【課題を解決するための手段】
【０００６】
上記目的を達成するために、本発明に係る戸体は、両側の縦框の対向する内側端面のそれぞれに上下方向に亘って形成された凹溝部に、ガラス板の両側端部が嵌合固定されて該ガラス板が保持されてなる二方框状の戸体であって、前記ガラス板の上端部に全長に亘って形成された溝状部に沿わせるようにして納めたワイヤーの長手方向の両端部を、前記両側の縦框の上端部にそれぞれ固定して、これら両側の縦框を連結したことを特徴とする。
【０００７】
本発明においては、前記ガラス板を合わせガラスとし、前記溝状部は、該ガラス板の上端部のガラス合わせ部位に形成されていてもよい。
また、本発明においては、前記両側の縦框の上端面には、前記ワイヤーの両端部をこれら両側の縦框の上端部にそれぞれ固定する各固定止具の頭部とともに前記ワイヤーの各端部を収納する凹部がそれぞれに形成されていてもよい。
さらに、本発明においては、前記両側の縦框の各凹部は、前記ワイヤーの各端部をそれぞれに係止する構造とされており、前記両側の縦框の上端面には、それぞれの前記凹部とそれぞれの前記凹溝部とを連通させ、かつ、前記ワイヤーの各端部近傍部分を収納する連通溝がそれぞれに形成されていてもよい。
さらに、本発明においては、前記戸体は、一側端部が連結部材を介して戸枠に回動自在に連結される開き戸とされ、他側端部側の縦框の幅寸法が一側端部側の縦框の幅寸法よりも小さく形成されていてもよい。
【発明の効果】
【０００８】
本発明に係る戸体によれば、すっきりとした外観を呈しながらも、組付強度を向上させることができる。
【図面の簡単な説明】
【０００９】
【図１】（ａ）、（ｂ）は、本発明の一実施形態に係る戸体の一例を模式的に示し、（ａ）は、図３（ａ）のＸ部に対応させた一部破断概略拡大平面図、（ｂ）は、（ａ）に対応させた概略分解平面図である。
【図２】（ａ）は、図１（ａ）のＹ−Ｙ線矢視に対応させた概略縦断面図、（ｂ）は、図１（ａ）のＺ−Ｚ線矢視に対応させた概略縦断面図である。
【図３】（ａ）は、同戸体の概略平面図、（ｂ）は、同戸体の概略正面図である。
【発明を実施するための形態】
【００１０】
以下に本発明の実施の形態について、図面に基づいて説明する。
また、以下の実施形態では、戸体が施工された状態を基準として上下方向等の方向を原則的に説明する。
【００１１】
図１〜図３は、本実施形態に係る戸体１の一例を模式的に示す図である。
本実施形態に係る戸体１は、図３に示すように、両側の縦框２０，２３の間にガラス板１０を設けた二方框状とされている。また、ガラス板１０の上端面１３に沿わせるようにして配設したワイヤー１４の長手方向の両端部１５，１６を、これら両側の縦框２０，２３の上端部にそれぞれ固定して、これら両側の縦框２０，２３を連結している。
また、本実施形態では、戸体１を、一側端部（吊元側端部）１ａが連結部材４を介して戸枠（吊元側縦枠）３に回動自在に連結される開き戸１としている。
当該開き戸１は、吊元側端部１ａ側の縦框２３（吊元側の縦框２３）と、他側端部（戸先側端部）１ｂ側の縦框２０（戸先側の縦框２０）との間にガラス板１０を設けた構造とされている。
【００１２】
これら両側の縦框２０，２３は、比較的に上下に長尺の略矩形平板状とされ、互いに略同高さ寸法とされている。これら両側の縦框２０，２３としては、例えば、無垢木材や木質系材料等から形成されたものとしてもよい。木質系材料としては、合板やＬＶＬ等の木質積層板、パーティクルボード等の木質ボード、インシュレーションボードやＭＤＦ（中密度繊維板）等の木質繊維板などが挙げられる。また、これら両側の縦框２０，２３としては、このような木質系材料を基材として、その表面側に、突板や合成樹脂化粧シート等の表面化粧材を貼着した構成としてもよい。または、これら両側の縦框２０，２３としては、上記のような木質系材料からなる略角柱状の枠材を枠組みした枠状体の表裏両面に、面材等を積層するように設けたいわゆるフラッシュパネル状のものとしてもよい。
【００１３】
また、本実施形態では、戸先側の縦框２０の幅寸法を吊元側の縦框２３の幅寸法よりも小さく形成している。これにより、戸先側の縦框２０が吊元側の縦框２３よりも比較的に軽くなる。図例では、戸先側の縦框２０の幅寸法を吊元側の縦框２３の幅寸法の１／２程度とした例を示しているが、このような態様に限られず、当該開き戸１の全体のデザイン性や戸先側の軽量化等を図る観点等を考慮して、これらの幅寸法を適宜、設定するようにしてもよい。
なお、吊元側の縦框２３を吊元側縦枠３に対して回動可能に連結する連結部材４としては、例えば、蝶番４等を用いてもよい。
【００１４】
また、これら両側の縦框２０，２３の対向する内側端面２１，２４のそれぞれには、上下方向の略全域に亘って、ガラス板１０の左右の側端部１１，１２が嵌合される凹溝部２１ａ，２４ａが形成されている（図１も参照）。これら凹溝部２１ａ，２４ａは、互いに向き合う方向に向けて開口し、かつ両側の縦框２０，２３の厚さ方向略中央部位に設けられている。
これら両側の縦框２０，２３の各内側端面２１，２４に形成された凹溝部２１ａ，２４ａに、ガラス板１０の両側端部１１，１２がそれぞれ嵌合固定されて、ガラス板１０が両側の縦框２０，２３に保持される。
なお、図例では、凹溝部２１ａ，２４ａを、横断面略コ字状とした例を示しているが、断面略Ｕ字状等としてもよい。
【００１５】
ガラス板１０は、その高さ寸法が両側の縦框２０，２３の高さ寸法と略同寸法とされている。また、図例では、このガラス板１０の幅寸法（凹溝部２１ａ，２４ａに嵌合された両側端部１１，１２を除いた幅寸法）を、戸先側の縦框２０の幅寸法の１／２程度とした例を示しているが、このような態様に限られない。このガラス板１０の幅寸法は、上記同様、当該開き戸１の全体のデザイン性や戸先側の軽量化等を図る観点等を考慮して、適宜、設定するようにしてもよい。また、このガラス板１０としては、光透過性が確保される透明または半透明の透光性を有したものとしてもよい。
本実施形態では、このガラス板１０を、図２（ｂ）に示すように、二枚のガラス部材を貼り合わせた合わせガラス１０としている。
この合わせガラス１０としては、二枚の透明または半透明な矩形板ガラスにエチレン酢酸ビニル共重合体系やポリビニルブチラール系等の接着剤を塗布し、これらを互いに接着させたものを用いてもよい。また、各ガラス部材の間に補強材料を介在させて、強度を向上させたものとしてもよい。
また、本実施形態では、この合わせガラス１０の上端部のガラス合わせ部位に、全長に亘って溝状部１３ａが形成されたものとし、当該溝状部１３ａにワイヤー１４の中間部分を沿わせるようにして収納している。この溝状部１３ａは、合わせガラス１０の厚さ方向略中央部位に設けられている。
本実施形態では、図例のように、断面視略Ｖ字状の溝状部１３ａを合わせガラス１０の上端部に形成したものを示しているが、溝状部１３ａの形状はこれに限定されず、例えば、断面視略Ｕ字状等の形状としてもよい。
【００１６】
なお、合わせガラス１０を構成するそれぞれのガラス部材の略全周縁に面取り部が形成されているような場合には、これら面取り部によって上記した溝状部１３ａが上端部のガラス合わせ部位に形成されるものとしてもよい。この場合には、当該合わせガラス１０の両側端部１１，１２のガラス合わせ部位にも上記同様の溝状部が設けられることとなる。このような構成とすれば、合わせガラス１０の両側の溝状部が、合わせガラス１０の両側端部１１，１２を両側の縦框２０，２３の凹溝部２１ａ，２４ａに接着剤によって嵌合固定する際に、接着剤の溜り凹部となり、接着強度を向上させることができる。
【００１７】
ワイヤー１４は、図２に示すように、合わせガラス１０の上端面１３に、その両端部１５，１６間の中間部分を沿わせるようにして配設される。当該ワイヤー１４の長手方向の両端部１５，１６が、両側の縦框２０，２３の上端部にそれぞれ固定止具２により固定され、これにより、これら両側の縦框２０，２３が連結される。
ワイヤー１４の両端部１５，１６は、固定止具２が挿通される挿通孔を設けたリング状体とされている。
なお、ワイヤー１４は、撚線状のものとしてもよく、または単線状のものとしてもよい。
【００１８】
また、本実施形態では、両側の縦框２０，２３の上端面２２，２５に、このワイヤー１４の両端部１５，１６を両側の縦框２０，２３の上端部にそれぞれ固定する各固定止具２，２の頭部２ａ，２ａとともにワイヤー１４の各端部１５，１６を収納する凹部２２ａ，２５ａをそれぞれに形成している。これら凹部２２ａ，２５ａは、上方に向けて開口するように形成されており、両側の縦框２０，２３の厚さ方向略中央部位に設けられている。
また、これら凹部２２ａ，２５ａは、それぞれの縦框２０，２３の凹溝部２１ａ，２４ａよりも当該開き戸１の戸幅方向外方側位置に形成されている。
図例では、平面視した形状が略円形状の凹部２２ａ，２５ａを示しているが、これに限定されず、ワイヤー１４の両端部１５，１６及び固定止具２の頭部２ａが当該凹部２２ａ，２５ａに収納し得る形状であればよく、例えば、略矩形状であってもよい。
【００１９】
また、両側の縦框２０，２３の上端面２２，２５には、それぞれの凹部２２ａ，２５ａと、それぞれの凹溝部２１ａ，２４ａとを連通させる連通溝２２ｂ，２５ｂがそれぞれに形成されている。これら連通溝２２ｂ，２５ｂは、上方に向けて開口するように形成されており、両側の縦框２０，２３の厚さ方向略中央部位に設けられている。また、これら連通溝２２ｂ，２５ｂの溝深さ寸法（上下寸法）は、凹部２２ａ，２５ａの深さ寸法（上下寸法）と略同寸法とされている。
また、これら連通溝２２ｂ，２５ｂは、溝幅寸法（戸厚方向に沿う幅寸法）が、各凹部２２ａ，２５ａの幅寸法（戸厚方向に沿う幅寸法）よりも小さい寸法とされている。本実施形態では、このような構成によって、両側の縦框２０，２３の各凹部２２ａ，２５ａは、上記したリング状体とされたワイヤー１４の各端部１５，１６をそれぞれに係止する構造とされている。
【００２０】
上記のような構成により、ワイヤー１４は、中間部分が、ガラス板１０の上端面１３に形成された溝状部１３ａに沿わせるようにして納められる。また、ワイヤー１４は、各端部近傍部分１７，１８が、両側の縦框２０，２３の上端面２２，２５の各連通溝２２ｂ，２５ｂに収納され、各端部１５，１６が、両側の縦框２０，２３の上端面２２，２５の各凹部２２ａ，２５ａに収納される。
【００２１】
次に、戸体１の組付手順の一例について説明する。
まず、両側の縦框２０，２３の内側端面２１，２４に設けられた凹溝部２１ａ，２４ａに接着剤を塗布し、合わせガラス１０の両側端部１１，１２を凹溝部２１ａ，２４ａに嵌め入れ、固定する。
次いで、合わせガラス１０の上端面１３に沿わせるようにしてワイヤー１４を配設し、各端部１５，１６を、両側の縦框２０，２３の各凹部２２ａ，２５ａに係止させる。次いで、ワイヤー１４の各端部１５，１６の各挿通孔を介してねじや釘等の固定止具２を各縦框２０，２３の上端部に捩じ込み（または打ち込み）、ワイヤー１４の各端部１５，１６を、各縦框２０，２３の上端部に固定する。ワイヤー１４は、このように各端部１５，１６を各縦框２０，２３の上端部に固定した状態では、当該ワイヤー１４が緊張状態となるように、その長さ寸法が設定されている。
このようにして開き戸１を組み付けるようにしてもよい。
【００２２】
上記構成とされた本実施形態に係る戸体（開き戸）１によれば、すっきりとした外観を呈しながらも、組付強度を向上させることができる。
つまり、二方框状の戸体１であるので、両側の縦框２０，２３とガラス板（合わせガラス）１０とによって、すっきりとした外観を呈することができる。
また、ワイヤー１４の長手方向の両端部１５，１６を両側の縦框２０，２３の上端部にそれぞれ固定して、これら両側の縦框２０，２３を連結した構成であるので、当該ワイヤー１４によって組付強度を向上させることができる。つまり、ガラス板１０の両側端部１１，１２が各凹溝部２１ａ，２４ａに接着剤等によって嵌合固定された両側の縦框２０，２３同士をワイヤー１４によって連結することで、これら両側の縦框２０，２３及びガラス板１０の組み付け状態を補強することができる。また、ワイヤー１４をガラス板１０の上端面１３に沿わせるようにして配設しているので、当該戸体１が施工された状態では、ワイヤー１４が目立ち難く、見栄えを損なうことがない。
【００２３】
また、本実施形態では、ガラス板１０を合わせガラスとし、上記した溝状部１３ａにワイヤー１４を沿わせるようにして納めている。従って、ワイヤー１４を戸体１の厚さ方向にずれ難くすることができる。また、当該戸体１が施工された状態においてワイヤー１４をより見え難くすることができ、見栄えをより向上させることができる。
【００２４】
さらに、本実施形態では、両側の縦框２０，２３の上端面２２，２５に、各固定止具２の頭部２ａとともにワイヤー１４の各端部１５，１６を収納する凹部２２ａ，２５ａをそれぞれに形成している。従って、当該戸体１が施工された状態において固定止具２の頭部２ａ及びワイヤー１４の両端部１５，１６を見え難くすることができ、より見栄えを向上させることができる。
【００２５】
さらにまた、本実施形態では、両側の縦框２０，２３の各凹部２２ａ，２５ａは、ワイヤー１４の各端部１５，１６をそれぞれに係止する構造とされている。従って、ワイヤー１４を両側の縦框２０，２３の上端部に固定する際に、ワイヤー１４の各端部１５，１６を、両側の縦框２０，２３の各凹部２２ａ，２５ａに仮止めすることができ、組み付け時における作業性を向上させることができる。
また、両側の縦框２０，２３の上端面２２，２５に、ワイヤー１４の各端部近傍部分１７，１８を収納する連通溝２２ｂ，２５ｂをそれぞれに形成している。従って、固定止具２の頭部２ａ及びワイヤー１４の両端部１５，１６に加えて、ワイヤー１４の両端部近傍部分１７，１８を見え難くすることができ、より見栄えを向上させることができる。
特に、本実施形態では、ワイヤー１４の両端部１５，１６、ワイヤー１４の各端部近傍部分１７，１８及びワイヤー１４の途中部位（中間部分）を、両側の縦框２０，２３の各凹部２２ａ，２５ａ及び各連通溝２２ｂ，２５ｂ並びにガラス板１０の溝状部１３ａにそれぞれ収納する構造としている。従って、当該戸体１が建て付けられる戸枠の上枠等と戸体１に設けられたワイヤー１４や固定止具２の頭部２ａとの干渉を効果的に抑制することができ、戸枠の上枠等と戸体１の上端部とのクリアランスを比較的に小さくすることができる。なお、図例では、合わせガラス１０の上端部の溝状部１３ａの溝深さ寸法を、両側の縦框２０，２３の上端部の連通溝２２ｂ，２５ｂ及び凹部２２ａ，２５ａの深さ寸法よりも浅くした例を示しているが、これらの深さ寸法を略同寸法としてもよい。
【００２６】
また、本実施形態では、戸体１を、吊元側端部１ａが連結部材４を介して吊元側縦枠３に回動自在に連結される開き戸１とし、戸先側の縦框２０の幅寸法を吊元側の縦框２３の幅寸法よりも小さく形成している。従って、戸先側の縦框２０が吊元側の縦框２３よりも比較的に軽くなる。つまり、開き戸１の戸先側の縦框２０が軽くなることとなり、吊元側端部１ａ側を回動支点として回動される開き戸１のガラス板１０及び連結側の縦框２３に対して掛かる戸先側の縦框２０の荷重を小さくすることができる。従って、これら両側の縦框２０，２３の上端部に固定されてこれら両側の縦框２０，２３を連結するワイヤー１４への負荷も小さくすることができ、ワイヤー１４の劣化や損傷等を抑制することができる。
【００２７】
なお、本実施形態では、戸体１を、吊元側端部１ａが連結部材４を介して吊元側縦枠３に回動自在に連結される開き戸１とし、戸先側の縦框２０の幅寸法を吊元側の縦框２３の幅寸法よりも小さく形成した例を示しているが、このような態様に限られない。例えば、これら戸先側の縦框２０の幅寸法と吊元側の縦框２３の幅寸法とを略同寸法としてもよく、または、戸先側の縦框２０の幅寸法を吊元側の縦框２３の幅寸法よりも大きく形成してもよい。また、戸体１を開き戸１とする態様に代えて、引戸や折戸等としてもよい。
また、図例では、両側の縦框２０，２３の幅寸法に比べてガラス板１０の幅寸法を幅狭とした例を示しているが、ガラス板１０の幅寸法を少なくともいずれか一方の縦框２０，２３の幅寸法と略同寸法としてもよい。または、ガラス板１０の幅寸法を少なくともいずれか一方の縦框２０，２３の幅寸法よりも大きい寸法としてもよい。
【００２８】
また、本実施形態では、両側の縦框２０，２３の上端面２２，２５に、連通溝２２ｂ，２５ｂをそれぞれに形成した例を示しているが、このような連通溝２２ｂ，２５ｂを設けないようにしてもよい。また、本実施形態では、両側の縦框２０，２３の上端面２２，２５に、凹部２２ａ，２５ａをそれぞれに形成した例を示しているが、このような凹部２２ａ，２５ａを設けないようにしてもよい。このような場合には、ワイヤー１４の各端部１５，１６を各縦框２０，２３の上端面２２，２５に固定止具２等によって固定するようにしてもよい。
さらに、本実施形態では、ガラス板１０を合わせガラスとした例を示しているが、単板ガラスとしてもよい。
さらにまた、本実施形態では、一本のワイヤー１４によって両側の縦框２０，２３を連結した例を示しているが、複数本のワイヤー１４によって両側の縦框２０，２３を連結する態様としてもよい。この場合において、上記した溝状部や連通溝、凹部を設ける場合には、ワイヤーの本数に応じてこれらを設けるようにしてもよい。
【符号の説明】
【００２９】
１                開き戸（戸体）
１ａ              吊元側端部（一側端部）
１ｂ              戸先側端部（他側端部）
１０              合わせガラス（ガラス板）
１１              端部
１２              端部
１３              上端面
１３ａ            溝状部
１４              ワイヤー
１５              端部
１６              端部
２０              戸先側の縦框（他側端部側の縦框）
２１              内側端面
２１ａ            凹溝部
２２              上端面
２２ａ            凹部
２２ｂ            連通溝
２３              吊元側の縦框（一側端部側の縦框）
２４              内側端面
２４ａ            凹溝部
２５              上端面
２５ａ            凹部
２５ｂ            連通溝
２                固定止具
２ａ              頭部
３                吊元側縦枠（戸枠）
４                蝶番（連結部材）
【図１】
0005842152.tif 000002
【図２】
0005842152.tif 000003
【図３】
0005842152.tif 000004